(57)【要約】【課題】  板バネが接続面との間に電気接続線の先端部を挟む第１押圧肢及び第２押圧肢の２本の押圧肢を備えた端子台において、円滑な電気接続線の接続を可能とする。【解決手段】  本願発明では、連結部３３は、当り部と、当り部よりも第２押圧肢３２側の退避部とにて構成され、板バネ３が接続面２１から離反するのを規制する規制面１２ａを備え、当り部が規制面１２ａと当接して、退避部と規制面１２ａとの間に間隔が開けられ、電気接続線の挿入により、第１押圧肢３１を撓ませ当接部を挿入方向ｘへ移動させて接続面２１と当接部との間から電気接続線を前記挿入方向ｘへ侵入させ、退避部の規制面１２ａとの間の間隔を縮小する変形により、第２押圧肢３２は、規制面に規制されずに接続面２１から離反する方向へ変位でき、前記侵入後電気接続線を挿入方向ｘへ更に移動させることにより、接続面２１と副当接部との間へ電気接続線を円滑に侵入させることができる。【選択図】図３
2014232612.tif 000002
【特許請求の範囲】
【請求項１】
電気接続線の挿入部を有するケーシングと、夫々前記ケーシング内に設けられた、端子板と、板バネとを備え、前記挿入部から電気接続線の先端部を前記ケーシング内へ挿入し、前記端子板と前記板バネとにて電気接続線の前記先端部を挟むことにより、前記端子板へ前記電気接続線を接続するトランスの端子台において、
前記端子板の接続面は、電気接続線の前記挿入方向へ略沿って配置され、
前記板バネは、第１押圧肢と、第２押圧肢と、前記両押圧肢の基端同士を連結する連結部とにて構成され、
第１及び第２の前記両押圧肢は、夫々基端側を端子板の前記接続面から離れた位置に配置されると共に先端を前記端子台の接続面へ向けるものであり、前記第１押圧肢は、前記第２押圧肢に対し前記挿入部側へ間隔を開けて配置され、
第１押圧肢の前記先端を当接部とし第２押圧肢の前記先端を副当接部として、前記当接部と副当接部の夫々は、端子板の前記接続面と当接するか若しくは電気接続線の前記先端部の厚みよりも小さな間隔を前記接続面との間に開け、
前記連結部は、当り部と、前記当り部よりも前記第２押圧肢側に設けられた退避部とにて構成され、
前記ケーシング内には、前記連結部と当接することにより前記板バネが端子板の前記接続面から離反する方向へ移動するのを規制する規制面が設けられ、
前記当り部が前記規制面と当接することにより前記規制面は前記第１押圧肢が端子板の接続面から離反する方向へ移動するのを規制し、
前記当り部は前記退避部よりも前記規制面側へ突出し、当り部の当該突出により、前記退避部と前記規制面との間には、前記当り部と前記規制面との間よりも大きな間隔が開けられ、
前記電気接続線の先端部の上記挿入により、電気接続線の前記先端部にて前記接続面へ沿って前記第１押圧肢を押圧することができ、前記押圧により、前記第１押圧肢を撓ませて前記当接部を第１押圧肢の前記基端側に対し前記挿入方向へ移動させることにて端子板の前記接続面との間の隙間を拡大させ、前記接続面と前記当接部との間から前記電気接続線先端部の前記当接部よりも前記挿入方向の先への侵入を可能とし、
前記連結部は、力を受けることにより変形して前記退避部の前記規制面との間の前記間隔を縮小することができ、連結部の当該変形により、前記第２押圧肢は、前記第１押圧肢に比べ前記規制面に規制されずに端子板の前記接続面から離反する方向へ変位することができ、前記侵入後前記電気接続線の先端部を挿入方向へ更に移動させることにより、前記接続面と前記副当接部との間へ前記電気接続線先端部を円滑に侵入させることができることを特徴とするトランスの端子台。
【請求項２】
前記ケーシング内へ工具等の操作部材を差込むことができる操作部を備え、
前記操作部へ前記操作部材を差し込み前記第１押圧肢を押圧して前記第１押圧肢を撓ませることにて、前記当接部を第１押圧肢の前記基端側に対し挿入方向へ移動させて前記当接部と端子板の前記接続面との間の隙間を拡大させ、第１押圧肢の当該撓みに伴い前記当り部が第１押圧肢の前記基端側へ引き寄せられ、前記退避部は前記当り部に引かれ変形して前記規制面との間の前記間隔を縮小し、前記侵入した電気接続線先端部について前記接続面と前記板バネとの間からの円滑な引抜きを可能とすることを特徴とする請求項１記載のトランスの端子台。
【請求項３】
前記連結部は、一端が前記第１押圧肢の後端に接続され当該後端から第２押圧肢の後端側へ前記規制面に対し凸状に湾曲して伸びる第１突部と、一端が前記第１突部の他の一端と接続され当該他の一端から第２押圧肢の後端側へ前記規制面に対し凸状に湾曲して伸びる第２突部とを備え、
前記第２突部の他の一端は前記第２押圧肢の前記後端に接続され、前記第１突部は、前記第２突部よりも前記規制部側へ突出するものであり、凸状の前記第１突部の頂部が、前記当り部を構成し、前記第１突部と第２突部との間の谷部及び第２突部が前記退避部を構成し、
少なくとも、操作部材の押圧による前記第１押圧肢の前記撓みによって、前記第１突部が第１押圧肢の後端側へ引かれ、前記第１突部と第２突部の間の前記谷部と前記第２突部の起伏が伸ばされるものであり、
当該起伏の伸びにて、前記退避部は前記規制面との間の前記間隔を縮小するものであることを特徴とする請求項２記載のトランスの端子台。
【請求項４】
前記板バネは燐青銅にて形成され、
導電性を有する、規制部と前記規制部を支持する支持部とが、前記端子板と一体に設けられ、
前記規制部が前記規制面を備え、前記支持部は、前記規制面が端子板の前記接続面と間隔を開けて前記接続面と対向するように、前記規制部を支持し、
前記電気接続線の挿入部への前記挿入により、前記電気接続線が端子板と直接電気的に接続されると共に、前記板バネから前記規制部及び前記支持部を経由して、端子板に電気的に接続されるものである請求項１乃至３の何れかに記載のトランスの端子台。
【発明の詳細な説明】
【技術分野】
【０００１】
本願発明は、トランスの端子台に関する。
【背景技術】
【０００２】
電気接続線の端子を固定するトランスの端子台において、端子台が備える端子板（電気導通板）に、電気接続線を着脱自在に接続する方法として、例えば特許文献１や特許文献２へ示す、ネジを用いて電気接続線を端子板へ接続するものが提案されている。
特許文献１及び２の何れにおいても、端子板（電気導通板）への接続に際して、ネジを回す作業が必要であり、電気接続線の端子板への接続をワンタッチで行うことはできない。
このため、特許文献１及び２に見られるねじ付端子台と異なるタイプの、例えば、特許文献３や特許文献４へ示す、ねじなし端子台が提案されている。
【０００３】
図６（Ａ）へ示す通り、特許文献３（公報第１１図）には、絶縁被膜が剥離されて露出した撚線即ち電気接続線（図示せず。）先端をケーシングａの挿入部ａ０からケーシングａ内へ挿入し、前記電気接続線先端を板バネｃ（押圧部）と端子板ｂ（被押圧部）とで挟んでその接続を行う電線接続用鎖錠端子において、端子板ｂの接続面ｂ１（撚線受面）に向かって傾斜し電気接続線先端を端子内部に案内する燃線案内面を板バネｃの押圧肢ｃ１に設け、この押圧肢ｃ１における前記撚線案内面の両側に前記被押圧部の側面に接触する突出部を設けた電線接続用鎖錠端子が示されている。
また図６（Ｂ）へ示す通り、特許文献４（公報第１図）にも、図６（Ａ）と同様、電気接続線ｄ（電線）先端をケーシングａ（筺体）の挿入部ａ０（端子挿入口）からケーシングａ内へ挿入し、電気接続線ｄ先端を板バネｃ（板ばね）と端子板ｂ（被押圧部）とで挟んでその接続を行うものが示されている。
【０００４】
図６（Ａ）（Ｂ）へ示す端子台は何れも、電気接続線ｄの先端部の上記挿入により、電気接続線ｄの先端部にて接続面ｂ１へ沿って押圧肢ｃ１を押圧することができ、この押圧により、押圧肢ｃ１を撓ませて押圧肢ｃ１の接続面ｂ１との間の隙間を拡大させ、押圧肢ｃ１の先端を電気接続線ｄの先端部に食いつかせて、電気接続線ｄを後退不能とするものである。
図６（Ａ）（Ｂ）へ示す端子台において、接続を解除するときはドライバーなどの工具ｋにて解除鋲ｅを押すことにより、押圧肢ｃ１を押圧して、押圧肢ｃ１の接続面ｂ１との間の隙間を更に拡大させて、電気接続線ｄの引き抜きを可能とする。
【０００５】
図６（Ａ）（Ｂ）へ示す端子台では、電気接続線ｄの挿入方向ｘについて、端子板ｂの接続面ｂ１と板バネｃとによる電気接続線ｄ先端の挟持は、上記押圧肢ｃ１一本で担っている。
この図６（Ａ）（Ｂ）へ示す端子台と異なるタイプの端子台として、図６（Ｃ）へ示す通り、特許文献４の公報第２図へ描かれた、板バネｃが第１押圧肢ｃ１と第２押圧肢ｃ２の２本の押圧肢を備えたものが提案されている。このタイプのものは、板バネｃが略コの字を呈するものであり、コの字の両肢が、上記の第１押圧肢ｃ１と第２押圧肢ｃ２とを構成する。
第２押圧肢ｃ２は、電気接続線ｄの挿入方向ｘについて第１押圧肢ｃ１よりも先、即ち挿入方向ｘについて第１押圧肢ｃ１よりもケーシングａの奥に位置する。
この図６（Ｃ）へ示すタイプの端子台は、挿入方向ｘに沿って、第１押圧肢ｃ１から奥に侵入した電気接続線ｄの先端部が、第１押圧肢と共に第２押圧肢に挟まれてより確実に電気接続線ｄの端子板ｂへの接続を期するものである。
この図６（Ｃ）へ示すタイプの端子台では、第１押圧肢ｃ１の後端と第２押圧肢ｃ２の後端とを連結する連結部ｃ３は、ケーシングａの板バネｃが端子板ｂから遠ざかるのを規制する規制面ａ１に沿って、第１押圧肢ｃ１の後端と第２押圧肢ｃ２の後端との間を真っ直ぐ伸びる。即ち、連結部ｃ３の端子板ｂの接続面ｂ１と反対側を臨む面は、ほぼ全体がケーシングａの上記規制面ａ１と当接している。
【先行技術文献】
【特許文献】
【０００６】
【特許文献１】特公平７−６０７０６号公報
【特許文献２】特許第４５２７５７７号公報
【特許文献３】特開平４−４５７６公報
【特許文献４】特公昭５９−５３６６７号公報
【発明の概要】
【発明が解決しようとする課題】
【０００７】
図６（Ｃ）へ示す２つの押圧肢ｃ１，ｃ２を備えた端子台では、確実な固定が行える分、電気接続線ｄの円滑な挿入が行い難いものとなりがちである。このため、図６（Ｃ）へ示すように、第２押圧肢ｃ２をＳ字状に曲げ加工して圧縮変形可能とし、第２押圧肢ｃ２を第１押圧肢ｃ１に比べて接続面ｂ１から離反しやすい腰の柔らかいものにするなどの工夫がなされている。
図６（Ｃ）へ示す端子台の板バネｃの上記連結部は、第１押圧肢ｃ１から力を受けて、規制面ａ１に沿って挿入方向ｘについて変位することはあっても、第１押圧部ｃ１から受けた力を第２押圧肢ｃ２を接続面ｂ１から離反する方向へ作用させるものではない。
このため、第２押圧肢ｃ２先端と上記接続面ｂ１との間への電気接続線ｄ先端の挿入のし易さは、第２押圧肢ｃ２自身の上記圧縮変形にのみ依存する。
【０００８】
この点については、接続時のみならず、解除時の円滑な電気接続線ｄの引き抜きを行う面においても同様である。
即ち、工具ｋにて解除鋲ｅを押した場合、第１押圧肢ｃ１は、ケーシングａの内部の傾斜面に押されて、接続面ｂ１から離反する方向に撓むことができる。しかし、この撓みに伴う連結部ｃ３の変位は、規制面ａ１に沿って第２押圧肢ｃ２が移動するのを許容するものであっても、第２押圧肢ｃ２を接続面ｂ１から離反させる方向に作用するものではない。寧ろ、解除鋲ｅを押すことによって、接続面ｂ１へ近接する方向へ変位するものとなり、決して第２押圧肢ｃ２を接続解除し易いものとするものではないのである。
本願発明では、電気接続線の端子板への確実な接続をワンタッチで行うことを可能な端子台であって、電気接続線の先端部を端子板へ押圧する板バネがケーシング内にて電気接続線の挿入方向の手前と奥に２つの押圧肢を備えたタイプのものについて、奥に配置された押圧肢の端子板接続面からの離反を円滑に行うことを可能として、上記課題の解決を図る。
【課題を解決するための手段】
【０００９】
本願発明は、電気接続線の挿入部を有するケーシングと、夫々前記ケーシング内に設けられた、端子板と、板バネとを備え、前記挿入部から電気接続線の先端部を前記ケーシング内へ挿入し、前記端子板と前記板バネとにて電気接続線の前記先端部を挟むことにより、前記端子板へ前記電気接続線を接続するトランスの端子台において、次の構成を採るものを提供する。
即ち、前記端子板の接続面は、電気接続線の前記挿入方向へ略沿って配置され、
前記板バネは、第１押圧肢と、第２押圧肢と、前記両押圧肢の基端同士を連結する連結部とにて構成され、第１及び第２の前記両押圧肢は、夫々基端側を端子板の前記接続面から離れた位置に配置されると共に先端を前記端子台の接続面へ向けるものであり、前記第１押圧肢は、前記第２押圧肢に対し前記挿入部側へ間隔を開けて配置され、第１押圧肢の前記先端を当接部とし第２押圧肢の前記先端を副当接部として、前記当接部と副当接部の夫々は、端子板の前記接続面と当接するか若しくは電気接続線の前記先端部の厚みよりも小さな間隔を前記接続面との間に開け、前記連結部は、当り部と、前記当り部よりも前記第２押圧肢側に設けられた退避部とにて構成され、前記ケーシング内には、前記連結部と当接することにより前記板バネが端子板の前記接続面から離反する方向へ移動するのを規制する規制面が設けられ、前記当り部が前記規制面と当接することにより前記規制面は前記第１押圧肢が端子板の前記接続面から離反する方向へ移動するのを規制し、前記当り部は前記退避部よりも前記規制面側へ突出し、当り部の当該突出により、前記退避部と前記規制面との間には、前記当り部と前記規制面との間よりも大きな間隔が開けられ、前記電気接続線の先端部の上記挿入により、電気接続線の前記先端部にて前記接続面へ沿って前記第１押圧肢を押圧することができ、前記押圧により、前記第１押圧肢を撓ませて前記当接部を第１押圧肢の前記基端側に対し前記挿入方向へ移動させることにて端子板の前記接続面との間の隙間を拡大させ、前記接続面と前記当接部との間から前記電気接続線先端部の前記当接部よりも前記挿入方向の先への侵入を可能とし、前記連結部は、力を受けることにより変形して前記退避部の前記規制面との間の前記間隔を縮小することができ、連結部の当該変形により、前記第２押圧肢は、前記第１押圧肢に比べ前記規制面に規制されずに端子板の前記接続面から離反する方向へ変位することができ、前記侵入後前記電気接続線の先端部を挿入方向へ更に移動させることにより、前記接続面と前記副当接部との間へ前記電気接続線先端部を円滑に侵入させることができる。
尚、ここでいうトランスには、鉄心を備えた通常の変圧器の他、鉄心を備えないものも含む。
また、本願発明は、前記ケーシング内へ工具等の操作部材を差込むことができる操作部を備え、前記操作部へ前記操作部材を差し込み前記第１押圧肢を押圧して前記第１押圧肢を撓ませることにて、前記当接部を第１押圧肢の前記基端側に対し挿入方向へ移動させて前記当接部と端子板の前記接続面との間の隙間を拡大させ、第１押圧肢の当該撓みに伴い前記当り部が第１押圧肢の前記基端側へ引き寄せられ、前記退避部は前記当り部に引かれ変形して前記規制面との間の前記間隔を縮小し、前記侵入した電気接続線先端部について前記接続面と前記板バネとの間からの円滑な引抜きを可能とするトランスの端子台を提供する。
更に、本願発明では、前記連結部は、一端が前記第１押圧肢の後端に接続され当該後端から第２押圧肢の後端側へ前記規制面に対し凸状に湾曲して伸びる第１突部と、一端が前記第１突部の他の一端と接続され当該他の一端から第２押圧肢の後端側へ前記規制面に対し凸状に湾曲して伸びる第２突部とを備え、前記第２突部の他の一端は前記第２押圧肢の後端に接続され、前記第１突部は、前記第２突部よりも前記規制部側へ突出するものであり、凸状の前記第１突部の頂部が、前記当り部を構成し、前記第１突部と第２突部との間の谷部及び第２突部が前記退避部を構成し、少なくとも、操作部材の押圧による前記第１押圧肢の前記撓みによって、前記第１突部が第１押圧肢の後端側へ引かれ、前記第１突部と第２突部の間の前記谷部と前記第２突部の起伏が伸ばされるものであり、当該起伏の伸びにて、前記退避部は前記規制面との間の前記間隔を縮小するものであるトランスの端子台を提供する。
また更に、本願発明では、前記板バネは燐青銅にて形成され、導電性を有する、規制部と前記規制部を支持する支持部とが、前記端子板と一体に設けられ、前記規制部が前記規制面を備え、前記支持部は、前記規制面が端子板の前記接続面と間隔を開けて前記接続面と対向するように、前記規制部を支持し、前記電気接続線の挿入部への前記挿入により、前記電気接続線が端子板と直接電気的に接続されると共に、前記板バネから前記規制部及び前記支持部を経由して、端子板に電気的に接続されるものであるトランスの端子台を提供する。
【発明の効果】
【００１０】
本願の発明では、端子台の端子板への電気接続線の接続をワンタッチで行うことができるものであって、接続を担う板バネが第１及び第２の２つ押圧肢を備えたタイプの端子台について、電気接続線の円滑な接続を可能とする。
即ち、板バネの連結部が退避部を備えることにより、第１押圧肢の先端と端子板の接続面との間への電気接続線先端部の挿入時の第１押圧肢への押圧が、ケーシング内において板バネの前記接続面から離反する方向への移動を規制する規制面の規制に拘わらず、第２押圧肢を前記接続面から離反し易いものとする板バネ連結部の変形を可能とする。
また、本願発明は、工具等の操作部材を差し込むことにて、簡単に電気接続線の上記接続の解除を行うことができる。特に、上記連結部の変形により、当該接続の解除も円滑に行うことができる。
特に本願発明は、第１押圧肢に掛る力を第２押圧肢の端子板からの離反に利用することで、電気接続線の接続及び接続解除を円滑に行うことを可能とする全く新しいタイプの端子台を提供し得た。
また、本願発明は、板バネを導電性と各部の上記変形に適した素材にて形成すると共に、導電性を有し上記規制面を提供する規制部を端子板に設けることにより、より確実な電気接続線の電気的・物理的な接続を可能とした。
【図面の簡単な説明】
【００１１】
【図１】本願発明に係る端子台の使用状態を示す斜視図即ち本願発明に係る端子台が設けられた変圧器の全体斜視図。
【図２】（Ａ）は図１の端子台の拡大斜視図、（Ｂ）は（Ａ）の正面図。
【図３】電気接続線接続前における図２（Ｂ）のＶ−Ｖ断面図。
【図４】（Ａ）は電気接続線の接続状態を示す図２（Ｂ）のＸ−Ｘ断面図、（Ｂ）は電気接続線の接続の解除動作を示す図２（Ｂ）のＸ−Ｘ断面図。
【図５】（Ａ）は図３（Ａ）に示す端子板の正面図、（Ｂ）は（Ａ）の端子板の右側面図、（Ｃ）は（Ａ）の端子板の背面図、（Ｄ）は図３（Ａ）に示す金具の正面図、（Ｅ）は（Ｄ）の右側面図、（Ｆ）は（Ｄ）の背面図。
【図６】（Ａ）及び（Ｂ）は、夫々押圧肢が１つのタイプの従来の端子台の縦断面図、（Ｃ）は押圧肢が２つのタイブの従来の端子台の縦断面図。
【発明を実施するための形態】
【００１２】
以下、図面に基づき本願発明の実施の形態を説明する。
尚、説明の便宜上、各図において、Ｕは上方を、Ｓは下方を、Ｆは前方を、Ｂは後方を、Ｌは左方を、Ｒは右方を示す。
図１へ示す通り、本願発明に係る端子台１００は、トランスｔに設けられる。この例では、トランスに設けられたレールｔ１へ複数の端子台１００が一体に取り付けられる。また、図１及び図２（Ａ）へ示す例では、３個の端子台１００が一体にされて端子ユニットを形成している。また、図２（Ｂ）へ示す例では、４個の端子台１００を一体にしている。
【００１３】
図３（Ａ）へ示す通り、個々の端子台１００は、ケーシング１と、電気接続線ｄ（図４（Ａ））との接続面２１を備えた端子板２と、板バネ３とを備えるものであり、電気接続線ｄを、ケーシング１内へ挿入し端子板２の接続面２１と板バネ３とに挟ませることにて、電気接続線ｄを端子板２へ接続することができる。
以下端子台１００の各部の構成について順に説明する。
【００１４】
（ケーシング１）
ケーシング１は、絶縁材にて形成されたケースである。この例では、ケーシング１はプラスチックにて形成されている。
図３（Ａ）へ示す通り、ケーシング１は、内部に、電気接続線ｄの先端部を収容する接続線収容部１１と、板バネ３を収容する板バネ収容部１２と、通し穴１３と、レール通し孔１４とを備える。
ケーシング１の前面には、ケーシング１内部の上記接続線収容部１１に通じる開口部が、電気接続線ｄの先端部を接続線収容部１１に挿入する挿入部１１ａとして設けられている。この例では、図２（Ｂ）へ示す通り、挿入部１１ａは、ケーシング１の前面へ左右２個設けられており、並行する２本の電気接続線ｄの先端を接続線収容部１１へ差し込むことができる。但し挿入部１１ａは、１個としても３個以上設けるものとしても実施できる。また、挿入部１１ａを１つだけ設ける場合であっても、当該挿入部１１ａに差し込む電気接続線ｄは複数とすることができる。また、図２（Ｂ）へ示す通り、ケーシング１が挿入部１１ａを２個備える場合も、１本の電気接続線ｄを何れか一方の挿入部１１ａにのみ差し込むものとして実施することができる。
ケーシング１の前面において、挿入部１１ａの下方には、前蓋１５が取り付けられている（図３）。
【００１５】
図３へ示す通り、接続線収容部１１は、ケーシング１内において、電気接続線ｄの挿入方向ｘに伸びる空間である。この例では、電気接続線ｄは、ケーシング１の前面に設けられた挿入部１１ａからケーシング１の内部へ挿入されるものであり、前記挿入方向ｘは前方Ｆから後方Ｂへ向く。
接続線収容部１１には、端子板２の接続面２１が、電気接続線ｄの挿入方向ｘに沿って配置されている。具体的には、ケーシング１は、上記接続面２１を略水平にして、端子板２を支持する棚部１６を備える。
【００１６】
板バネ収容部１２は、ケーシング１内において、前記接続面２１と対向する位置にて接続線収容部１１へ連絡する部屋である。板バネ収容部１２は、当該接続面から離反する方向を奥行き方向とする。即ち、板バネ収容部１２は、この例では図３へ示す通り、接続線収容部１１との上記連絡位置を下方として当該連絡位置から上方に向かう方向を奥行き方向とする。板バネ収容部１２は、奥行きを規定する奥規定面１２ａと、上記挿入方向ｘを前後方向として前方を規定する前方規定面１２ｂと、後方を規定する後方規定面１２ｃとを備える。
この例では、奥規定面１２ａは、接続線収容部１１の天面である。
ケーシング１の前面において前記挿入部１１ａの上方に開口し且つケーシング１内にて前方規定面１２ｂに開口する開口部が、操作部１７としてケーシング１に設けられている。
【００１７】
通し穴１３は、図２（Ａ）（Ｂ）及び図３へ示す通りケーシング１を左右に貫通する穴である。通し穴１３にネジ或いはボルト・ナットといった座面を備えた締結具を通して、複数の端子台１００同士を一体に結合することができる。
レール通し孔１４は、前記レールｔ１に対応する断面形状を備えると共にケーシング１を左右に貫通する孔である。図１、図２（Ａ）及び図３へ示す通り、レール通し孔１４へトランスｔの前記レールｔ１を通すことにより、レール端子台１００をトランスｔへ取り付けることができる。
前蓋１５は、ケーシング１前面において挿入部１１ａ下方を開閉するものであり、前蓋１５を開くことによって、端子板２の下端部２２を露出させることができる（図４（Ａ））。
【００１８】
（端子板２）
端子板２の主要部は、図３及び図５（Ｂ）へ示す通り、側面視において略逆Ｌ字型を呈する。この例では、端子板２は、電気の良導体である金属板であり、特に真鍮にて形成するのが好ましい。但し真鍮以外の素材にて、端子板２を形成するのを制限するものではない。端子板２において上記逆Ｌ字の水平部分の上面が上記接続面２１である。この例では、接続面２１には、２本の電気接続線ｄを接続する際の位置決めを行うことができる、２本の凹み部２５が、前方から後方へ伸びる（図５（Ａ）（Ｃ））。
また、逆Ｌ字である端子板２の下端部２２を、上記の通り前蓋１５を開くことによって、ケーシング１外部へ露出させることができる（図４（Ａ））。露出した当該下端部２２に対し図４（Ａ）の白抜き矢印で示す方向から、他の接続線（図示しない。）を半田付け或いはネジによって接続する。
【００１９】
この例では、図３及び図５（Ａ）〜（Ｃ）へ示す通り、上記接続面２１の右側又は左側から、板バネ収容部１２の奥行き方向即ち上方へ伸びる支持部２３と、当該支持部２３によって支持され且つ板バネ収容部１２の奥規定面１２ａを提供する規制部２４とが、端子板２と一体に端子板２に設けられている。規制部２４と支持部２３とは電気の良導体である。規制部２４と支持部２３とは端子板２と同じ材料で端子板２と一体に形成すればよい。但し、規制部２４と支持部２３は、端子板２と別体に形成して、ネジやボルトなどの固定具にて端子板２へ固定するものとしても実施できる。
規制部２４の上記奥規定面１２ａは、上記接続面２２に対向する面であり、板バネ収容部１２に収容された板バネ３が接続面２２から離反するのを規制する規制面である（以下必要に応じて規制面１２ａと呼ぶ）。
但し、規制部２４や支持部２３を設けずに実施することも可能である。規制部２４を設けない場合、ケーシング１が規制面１２ａを備えるものとすればよい。
但し、端子板２へ端子板２と同様導電部材でできた支持部２３と規制部２４を設けて、規制部２４の規制面１２ａと端子板２の接続面２１との間に導電部材でできた板バネ３を挟むのが、電気接続線ｄと端子板２とを電気的・物理的により確実に接続することができる点で好ましい。
【００２０】
（板バネ３）
板バネ３は、力を加えられることによって撓み、当該力を排除することによって元の形状に戻る弾力性を備える。更に、板バネ３は、電気の良導体にて形成するのが好ましい。板バネ３は、導電性を有する金属で形成するのが好ましく、特に燐青銅にて形成するのが好ましい。
図３及び図５（Ｄ）〜（Ｆ）へ示す通り、板バネ３は、第１押圧肢３１と、第２押圧肢３２と、前記両押圧肢３１，３２の基端３１ｂ，３２ｂ同士を連結する連結部３３とにて構成されている。
第１及び第２の前記両押圧肢３１，３２は、夫々基端３１ｂ，３２ｂ側を端子板２の前記接続面から離れた位置即ちバネ収容部１２の上記規制面１２ａ寄りに配置されて先端３１ａ，３２ａを前記端子台の接続面２１へ向ける。
第１及び第２の前記両押圧肢３１，３２の先端部は、板バネ収容部１２から接続線収容部１１内へ突出する。当該突出により、接続線収容部１１内に上記先端３１ａ，３２ａが配置される。
第１押圧肢３１は、第２押圧肢３２に対し挿入部１１ａ側へ第２押圧肢３２と間隔を開けて配置される。言い換えると、第２押圧部３２は、電気接続線ｄの挿入方向ｘについて、第１押圧部３１よりもケーシング１の奥に第１押圧部３１と間隔を開けて配置される。
第１押圧肢３１の前記先端３１ａを当接部３１ａとし第２押圧肢の前記先端３２ａを副当接部３２ａとして、当接部３１ａと副当接部３２ａの夫々は、端子板２の接続面２１と当接するか若しくは電気接続線の前記先端部の厚みよりも小さな間隔を接続面２１との間に開ける。この例では、２本の電気接続線ｄに対応すべく、第１押圧肢３１の先端部と第２押圧肢２２の先端部は、夫々スリット３４，３５にて分岐している（図５（Ｄ）（Ｆ））。即ち、第１押圧肢３１は、スリット３４を挟んで左右２つの当接部３１ａを備える。また、第２押圧肢３２は、スリット３５を挟んで左右２つの副当接部３２ａを備える。
図５（Ｄ）の破線部は、第１押圧肢３１の補強部を示している。当該補強部は第１押圧肢３１をエンボス加工することによって形成することができる。
【００２１】
連結部３３は、当り部と、当該当り部よりも第２押圧肢３２の後端３２ｂ側に設けられた退避部とにて構成されている。当り部が前記規制面１２ａと当接することにより規制面１２ａは第１押圧肢３１が端子板２の接続面２１から離反する方向へ移動するのを規制する。当り部は退避部よりも規制面１２ａ側へ突出し、当り部の当該突出により、退避部と規制面１２ａとの間には、当り部と規制面１２ａとの間よりも大きな間隔が開けられている。
【００２２】
図４（Ａ）へ示す通り、電気接続線ｄの先端部の挿入部１１ａへの挿入により、電気接続線ｄの先端部にて接続面２１へ沿って第１押圧肢３１を押圧することができる。当該押圧により、第１押圧肢３１を撓ませて当接部３１ａを第１押圧肢３１の基端３１ｂ側に対し挿入方向ｘへ移動させることができる。そして当該移動にて端子板２の接続面２１との間の隙間を拡大させ、接続面２１と当接部３１ａとの間から電気接続線ｄ先端部の当接部３１ａよりも挿入方向ｘの先への侵入を可能とする。連結部３３は、力を受けることにより変形して退避部の規制面１２ａとの間の前記間隔を縮小することができる。連結部３３の当該変形により、第２押圧肢３２が第１押圧肢３１に比べ規制面１２ａに規制されずに端子板２の接続面２１から離反する方向へ変位することができるため、前記侵入後電気接続線ｄの先端部を挿入方向ｘへ更に移動させることにより、接続面２１と副当接部３２ａとの間へ電気接続線ｄ先端部を円滑に侵入させることが可能である。
侵入した電気接続線ｄが後退しようとすると、第１押圧肢３１基端３１ｂ側に対する前記挿入方向ｘと逆方向への移動に追従し当接部３１ａが端子板２の接続面２１と当接部３１ａの間の隙間を狭める。即ち、侵入した電気接続線ｄが後退しようとすると、電気接続線ｄの先端部に当接部３１ａが食いつき、一旦侵入した前記電気接続線ｄ先端部について接続面２１と当接部３１ａとの間からの引抜きを不能とする。
【００２３】
板バネ２について更に詳しく述べると、板バネ収容部１２内に収容された状態において、第１押圧肢３１は、上記前方規定面１２ｂに沿って上下に伸びる。前方規定面１２ａは、第１押圧肢３１の先端側が、前方へ移動するのを規制する。また、第２押圧肢３２は、後方規定面１２ｃに沿って上下に伸びる。後方規定面１２ｃは、第２押圧肢３２の先端側が、後方に移動するのを規制する。
第１押圧肢３１には、当接部３１ａよりも第１押圧肢３１の基部側から当接部３１ａに至る案内面が形成されている。案内面は前方から前記挿入方向ｘに向かうに従って漸次下方―向け傾斜する傾斜面であり、電気接続線ｄ先端を前記挿入方向ｘへ案内する。また、第２押圧肢３２には、副当接部３２ａよりも第２押圧肢３２の基部側から副当接部３２ａに至る福案内面が形成されている。副案内面は前方から前記挿入方向ｘに向かうに従って漸次下方―向け傾斜する傾斜面であり、上記案内面と同様、電気接続線ｄ先端を前記挿入方向ｘへ案内する。
板バネ収容部１２の上記後方規定面１２ｃには当該後方規定面１２ｃから前方へ突出する突出部１２ｄが設けられている。
第２押圧肢３２には、前方へ後退する凹状湾曲部３２ｃが設けられている。当該凹状湾曲部３２ｃにて第２押圧肢３２は前記突出部１２ｄを迂回し、第２押圧肢３２の接続面２１への近接・離反は、前記突出部１２ｄに邪魔されない。第２押圧肢３２の前記副案内部が、上記凹状湾曲部３２ｃの一部を構成する。
【００２４】
連結部３３は、この例では、一端が前記第１押圧肢３１の後端３１ｂに接続され当該後端３１ｂから第２押圧肢３２の後端３２ｂ側へ規制面１２ａに対し凸状に湾曲して伸びる第１突部３３ａと、一端が第１突部３３ａの他の一端と接続され当該他の一端から第２押圧肢３２の後端３２ｂ側へ規制面に対し凸状に湾曲して伸びる第２突部３３ｂとを備える。第２突部３３ｂの他の一端が第２押圧肢３２の後端に接続されている。板バネ収容部１２の奥行き方向について、第１突部３３ａは、第２突部３３ｂよりも規制部１２ａ側へ突出する。この例では、凸状の第１突部３３ａの頂部が、前記当り部を構成し、第１突部３３ａと第２突部３３ｂとの間の谷部３３ｃ及び第２突部３３ｂが前記退避部を構成する。
【００２５】
（電気接続線ｄの接続）
図４（Ａ）へ示す通り、当接部３１ａを挿入方向ｘへ移動させる第１押圧肢３１の撓みによって、第１突部３３ａが第１押圧肢３１の後端３１ｂ側へ引かれ、第１突部３３ａと第２突部３３ｂの間の谷部３３ｃと第２突部３３ｂの起伏が伸ばされる。当該起伏の伸びにて、前記退避部は規制面１２ａとの間の間隔を縮小することができる。退避部の上記変形によって、第２押圧肢３２は、第１押圧肢２の撓みを利用して、副当接部３２ａと上記接続面２１との間へ電気接続線ｄの先端部を円滑に受け入れることができる。また、上記凹状湾曲部３２ｃが圧縮されることによって、副当接部３２ａと上記接続面２１との間へより円滑に電気接続線ｄの先端部を導入することができる。
図３へ示すように、この例では、電気接続部ｄ先端部の押圧を受けて第２押圧肢３２の副当接部３２ａも上記挿入方向ｘへ移動することができるように、接続線収容部１１は、板バネ収容部１２よりも後方即ち挿入方向ｘの先へ延設された延設部１１ｂを備える。
【００２６】
（電気接続線ｄの接続解除）
電気接続線ｄの接続を解除し、電気接続線ｄを挿入部１１ａから引き抜く際は、図４（Ｂ）前記操作部１７から、ドライバーなどの工具ｋ或いはその他の棒状体を操作部材として挿入し、第１押圧肢３１を押圧する。当該操作部材の押圧にて、第１押圧肢３１の当接部３１ａを挿入方向ｘへ移動させて、当接部３１ａと上記接続面２１との間を大きく開く。この第１押圧肢３１の撓みによっても、図４（Ｂ）へ示す通り、第１突部３３ａが第１押圧肢３１の後端３１ｂ側へ引かれ、第１突部３３ａと第２突部３３ｂの間の谷部３３ｃと第２突部３３ｂの起伏が伸ばされるものであり、当該起伏の伸びにて、退避部は前記規制面１２ａとの間の間隔を縮小する。退避部と前記規制面１２ａとの間の間隔が許容する限り、当該縮小が可能であり、当該縮小によって、第２押圧肢３２の副当接部３２ａを接続面２１から上方へ離反させることができる。
操作部材を押し込みすぎた場合、凹状湾曲部３２ｃが突出部１２ｄへ引っ掛かって、板バネ３が回るのを阻止する。
上記の操作部材は、解除鋲としてケーシング１に取り付けられるものとしてもよい。例えば、操作部１７内にて摺動可能に収容された解除鋲として操作部材を形成してもよい。この場合、指先や別途ドライバー等の工具にて操作部材を操作するものとすればよい。
【００２７】
（変更例）
板バネ３の連結部３３の形状、即ち当り部と退避部の構成は、上記のものに限定するものではない。例えば、退避部は、第２突部３３ｂ以外に第１突部３３ａよりも突出幅の小さい別途突部を備えるものとしてもよい。
また、規制面１２ａと退避部との間の間隔を確保するのに、規制部１２ａにおいて、当り部と当接する部位よりも上方に後退する部位を退避部と対応する部位として備えるものとしても実施できる。
また、板バネ３が回る危惧がなければ、前記凹状湾曲部３２ｃと突出部１２ｄとは設けずに実施することもできる。
図１及び図２（Ａ）へ示すように３個の端子台１００を一体に設け、図２（Ｂ）へ示すように４個の端子台１００を一体に設ける他、端子台１００は、トランスｔの前面と後面の各レールｔ１へ１個設けられるものとしても、２個を一体にして１本のレールｔ１に設けられるものとしても実施できる。また、５個以上の端子台１００を一体にして使用することもできる。
また、当初より複数の端子台１００を分離不能に一体成型するものとしても実施できる。
【符号の説明】
【００２８】
１    ケーシング
２    端子板
３    板バネ
１１    接続線収容部
１１ａ  挿入部
１２    板バネ収容部
１２ａ  規制面
１２ｂ  前方規定面
１２ｃ  後方規定面
１２ｄ  突出部
１５    前蓋
１６    棚部
１７    操作部
２１    接続面
３１    第１押圧肢
３１ａ  当接部
３１ｂ（第１押圧肢３１の）後端
３２    第２押圧肢
３２ａ  副当接部
３２ｂ（第２押圧肢３２の）後端
３２ｃ  凹状湾曲部
３３    連結部
３３ａ  第１突部
３３ｂ  第２突部
３３ｃ  谷部
１００    端子台
ｄ    電気接続線
ｔ    トランス
ｘ  （電気接続線ｄの）挿入方向
【図１】
2014232612.tif 000003
【図２】
2014232612.tif 000004
【図３】
2014232612.tif 000005
【図４】
2014232612.tif 000006
【図５】
2014232612.tif 000007
【図６】
2014232612.tif 000008